(57)【要約】【課題】  金網製の蛇篭に土留部材を取り付けたり蛇篭同士を連結したりする作業を簡単かつ確実に行うことが可能な蛇篭用取付金具を得る。【解決手段】  金網製の蛇篭３０の金網の網目３６に固定するための金具本体１１と、土留部材を構成する棒材５０ａを取り付けるための取付ボルト１２とからなり、上記金具本体１１は、第１プレート１１ａ及び第２プレート１２ａからなっていて、第１プレート１１ａには、網目３６の両側の列線３５Ａ，３５Ｂが嵌合する一対の嵌合溝１４が設けられ、上記第２プレート１１ｂには、上記嵌合溝１４を覆って第１プレート１１ａとの間に上記列線３５Ａ，３５Ｂを挟持する一対の覆部１５が設けられる。【選択図】        図１
2005054443.tif 000002
【特許請求の範囲】
【請求項１】
金網製の蛇篭の金網の網目に固定して該蛇篭に他の部材を取り付けるための取付金具であって、上記網目に固定するための金具本体と、上記他の部材を取り付ける取付ボルトとを有し、かつ、上記金具本体が少なくとも１つのプレートで形成されていて、このプレートが、上記網目の両側に位置する２本の列線間に跨る長さを有すると共に、これら両列線に固定するための一対の固定部を有することを特徴とする蛇篭用取付金具。
【請求項２】
金網製の蛇篭の金網の網目に固定して該蛇篭に他の部材を取り付けるための取付金具であって、上記網目に固定するための金具本体と、上記他の部材を取り付ける取付ボルトとを有し、
上記金具本体は、上記網目の両側に位置する２本の列線間に跨る長さを有する第１プレート及び第２プレートを備えていて、第１プレートには、上記両列線が嵌合する一対の嵌合溝が設けられ、上記第２プレートには、上記各嵌合溝と対応する位置に該嵌合溝を覆って第１プレートとの間に上記列線を挟持する一対の覆部が設けられ、これら両プレートの嵌合溝と覆部とによって金具本体を列線に固定するための固定部が形成されており、
上記取付ボルトは、上記両プレートを相互に結合するための手段と上記他の部材を取り付けるための手段とを兼ねている、
ことを特徴とする蛇篭用取付金具。
【請求項３】
請求項１又は２に記載された取付金具を、金網製の蛇篭の金網の網目に、該取付金具の一対の固定部を網目の両側に位置する２本の列線に固定することにより取り付けると共に、該蛇篭の内面又は外面に沿って金網の網目より小さい隙間を有する土留部材を配置し、この土留部材を上記取付金具の取付ボルトにより固定したことを特徴とする蛇篭。
【請求項４】
上記土留部材が、自然木からなる複数の棒材を密に並列させることにより形成されていることを特徴とする請求項３に記載の蛇篭。
【請求項５】
請求項１又は２に記載された取付金具を、金網製の蛇篭の金網の網目に、該取付金具の一対の固定部を網目の両側に位置する２本の列線に固定することにより取り付け、隣接する蛇篭同士をこれらの取付金具の取付ボルトで相互に連結したことを特徴とする蛇篭連結体。
【発明の詳細な説明】
【技術分野】
【０００１】
本発明は、傾斜地などの土留工事や河川の護岸工事等に使用される金網製の蛇篭に土留部材を取り付けたり、隣接する蛇篭同士を相互に連結したりする場合などに使用する蛇篭用取付金具と、この取付金具を用いた蛇篭に関するものである。
【背景技術】
【０００２】
従来より一般に、土地開発や森林開発等に伴う傾斜地などの土留工事や河川の護岸工事などには、菱形金網や溶接金網からなる蛇篭が使用され、この蛇篭の内部に土石類を充填して設置するようにしている。
【０００３】
上記蛇篭を土留用として使用する場合には、内部に土砂等を充填することが多く、このような場合には、土砂が金網の網目から流出するのを防止するため、網目の小さいネットで形成した土留部材や、間伐材である丸太材を小さい隙間で並設して形成した土留部材等を、蛇篭の内面又は外面に沿って付設するようにしている。そして、このような土留部材を蛇篭に取り付ける場合、通常は、それらを針金で金網に固定するようにしているが、このような目的に使用される針金は強度及び剛性が大きいため、それを折り曲げて土留部材に巻き付ける作業に手間がかかるだけでなく、十分な締め付け力を得るのもなかなか困難である。
【０００４】
特に、特許文献１に記載されているように、上記土留部材が複数の丸太材を並べて形成したものである場合、これらの丸太を一本ずつ剛性の大きい針金を巻き付けながら蛇篭に固定する作業は比較的手間がかかり、丸太が不揃いであるような場合には、一定した締め付け力を得るのはなかなか難しい。そして締め付け力が不足していると、丸太材に大きな土圧が作用した場合、針金が緩んで該丸太材が位置ずれし、相互間の隙間が広がって土留機能を消失することになりかねない。
【０００５】
また、隣接する蛇篭同士を針金で連結する場合にも同様の問題がある。一方、螺旋状の金具を使用して連結することも行われているが、この螺旋状金具は、蛇篭の底辺や側辺等に挿通されている骨線に巻き付けることによって骨線同士を連結するものであるため、連結場所が制限され、例えば、相接する網面の中間位置同士を連結するといったような使い方はできない。また、金具を多数回回転させて巻き付けなければならないため手数もかかる。
【特許文献１】特開平２０００−２６５４７２号公報
【発明の開示】
【発明が解決しようとする課題】
【０００６】
本発明の課題は、金網の網目に固定する方式の蛇篭用取付金具を使用することにより、金網製の蛇篭に土留部材を取り付けたり蛇篭同士を相互に連結したりする作業を、少ない手数で簡単かつ確実に行い得るようにすることにある。
【課題を解決するための手段】
【０００７】
上記課題を解決するため、本発明によれば、金網製の蛇篭の金網の網目に固定して該蛇篭に他の部材を取り付けるための取付金具であって、上記網目に固定するための金具本体と、上記他の部材を取り付ける取付ボルトとを有し、かつ、上記金具本体が少なくとも１つのプレートで形成されていて、このプレートが、上記網目の両側に位置する２本の列線間に跨る長さを有すると共に、これら両列線に固定するための一対の固定部を有することを特徴とする蛇篭用取付金具が提供される。
【０００８】
また、本発明によれば、金網製の蛇篭の金網の網目に固定して該蛇篭に他の部材を取り付けるための取付金具であって、上記網目に固定するための金具本体と、上記他の部材を取り付ける取付ボルトとを有し、上記金具本体は、上記網目の両側に位置する２本の列線間に跨る長さを有する第１プレート及び第２プレートを備えていて、第１プレートには、上記両列線が嵌合する一対の嵌合溝が設けられ、上記第２プレートには、上記各嵌合溝と対応する位置に該嵌合溝を覆って第１プレートとの間に上記列線を挟持する一対の覆部が設けられ、これら両プレートの嵌合溝と覆部とによって金具本体を列線に固定するための固定部が形成されており、上記取付ボルトは、上記両プレートを相互に結合するための手段と上記他の部材を取り付けるための手段とを兼ねていることを特徴とする蛇篭用取付金具が提供される。
【０００９】
更に、本発明によれば、上述した取付金具を、金網製の蛇篭の金網の網目に、該取付金具の一対の固定部を網目の両側に位置する２本の列線に固定することにより取り付けると共に、該蛇篭の内面又は外面に沿って金網の網目より小さい隙間を有する土留部材を配置し、この土留部材を上記取付金具の取付ボルトにより固定したことを特徴とする蛇篭が提供される。
【００１０】
上記土留部材は、自然木からなる複数の棒材を密に並列させることにより形成されていることが望ましい。
【００１１】
また、本発明によれば、上記取付金具を、金網製の蛇篭の金網の網目に、該取付金具の一対の固定部を網目の両側に位置する２本の列線に固定することにより取り付け、隣接する蛇篭同士をこれらの取付金具の取付ボルトで相互に連結したことを特徴とする蛇篭連結体が提供される。
【発明の効果】
【００１２】
本発明によれば、蛇篭用取付金具が金具本体と取付ボルトとからなっていて、上記金具本体を、蛇篭を形成する金網の網目の両側に位置する２本の列線に固定し、上記取付ボルトで土留部材や隣接する蛇篭などの他の部材を取り付けるようにしているので、従来の剛性の大きい針金を折り曲げる方式や、螺旋状金具を回転させて巻き付ける方式に比べ、金網製の蛇篭に土留部材を取り付けたり、蛇篭同士を相互に連結したりする作業を、簡単かつ確実に行うことができる。
【発明を実施するための最良の形態】
【００１３】
図１は、本発明に係る蛇篭用取付金具１０によって蛇篭３０に、他の部材として、丸太材などの棒材５０ａで形成した土留部材５０を取り付けた状態を示すものである。
上記蛇篭３０は、いわゆるフトン篭と称される角形の蛇篭であって、図２に詳細に示すように、底面網３０ａと、相対する前後の側面網３０ｂ，３０ｃと、相対する左右の側面網３０ｄ，３０ｅとからなっており、必要に応じて図示しない上面網３０ｆを取り付けることができるものである。上記各面網３０ａ〜３０ｆは、菱形金網からなる矩形の網素材の周囲に、針金製の枠線３１を取り付けることにより個別に形成されていて、隣接する面網の互いに接する辺の枠線３１，３１同士を螺旋状金具などの適宜金具３２で連結することにより、箱形に形成されている。しかし、このように各面網３０ａ〜３０ｆを個別に形成することなく、底面網３０ａと前後の側面網３０ｂ，３０ｃとを１枚の菱形金網を折り曲げることにより形成し、左右の側面網３０ｄ，３０ｅと上面網３０ｆはそれぞれ個別に形成して、それらを相互に連結しても良い。
【００１４】
上記菱形金網は、扁平螺旋形に折曲した複数の列線３５を、それらの折曲部において順次連繋することにより形成したもので、図３から明らかなように、隣接する２本の列線３５Ａ，３５Ｂの間に矩形（菱形）の網目３６が形成されている。従って、この網目３６の両側には、隣接する２本の列線３５Ａ，３５Ｂの線辺３５ａ，３５ｂが平行に位置している。
【００１５】
上記蛇篭３０の内部には、間伐材等を利用した丸太材などの棒材５０ａからなる上記土留部材５０が、上記底面網３０ａと前後の側面網３０ｂ，３０ｃの内面に沿って各面網の網目の一部又は全部を塞ぐように取り付けられている。この土留部材５０は、複数の棒材５０ａを小さい隙間で密に並設し、それらを上記取付金具１０で上記各面網３０ａ，３０ｂ，３０ｃに固定することにより取り付けられており、上記取付金具１０の構造及びそれによる棒材５０ａの取り付け方は、以下に詳述する通りである。
【００１６】
即ち、上記取付金具１０は、図３〜図５に詳細に示すように、金網の網目３６に固定するための金具本体１１と、上記土留部材５０を取り付けるための取付ボルト１２とを有している。このうち金具本体１１は、第１及び第２の２つのプレート１１ａ，１１ｂからなっていて、これらのプレート１１ａ，１１ｂは、上記網目３６の両側に位置する２本の列線３５Ａ，３５Ｂの線辺３５ａ，３５ｂ間に跨る長さを有している。そして、一方の第１プレート１１ａの左右両端部には、上記両列線３５Ａ，３５Ｂが嵌合する一対の嵌合溝１４，１４が設けられ、他方の第２プレート１１ｂの左右両端部の上記各嵌合溝１４，１４と対応する位置には、該嵌合溝１４，１４を覆って第１プレート１１ａとの間に上記列線３５Ａ，３５Ｂを挟持する一対の覆部１５，１５が設けられ、これら両プレート１１ａ，１１ｂの嵌合溝１４，１４と覆部１５，１５とによって、金具本体１１を列線３５Ａ，３５Ｂに固定するための固定部１３が形成されている。また、上記両プレート１１ａ，１１ｂの中央位置には、互いに同軸をなすボルト挿通孔１６が穿設されている。
【００１７】
そして、図３及び図４に示すように、上記両プレート１１ａ，１１ｂを、金網の網目３６の両側に位置する２本の列線３５Ａ，３５Ｂの線辺３５ａ，３５ｂに、金網の内外両側から当接させ、その状態で上記ボルト挿通孔１６内に蛇篭３０の外側から取付ボルト１２を挿通して金具結合ナット１８で締め付けることにより、これらのプレート１１ａ，１１ｂを網目３６に固定する。続いて、上記取付ボルト１２を棒材５０ａに設けた取付孔５１内に挿入し、該棒材５０ａの外側からこの取付ボルト１２に棒材固定ナット１９を螺着して締め付けることにより、この棒材５０ａを固定する。２０はワッシャである。同様にして複数の棒材５０ａを取付金具１０で金網に順次固定することにより、蛇篭３０における上記各面網３０ａ，３０ｂ，３０ｃの内面に、棒材５０ａからなる土留部材５０が取り付けられている。従って、上記取付ボルト１２は、上記両プレート１１ａ，１１ｂを相互に結合するための結合手段と、上記棒材５０ａを面網に取り付けるための取付手段とを兼ねるものである。
【００１８】
図示した例では、上記各棒材５０ａの両端の二カ所を取付金具１０で面網３０ａ，３０ｂ，３０ｃに固定しているが、棒材５０ａの長さが長い場合は、更に中間の一カ所以上を同様にして面網に固定することもできる。
【００１９】
また、図示した例では、第２プレート１１ｂに形成した覆部１５が、平らか、あるいはほぼ平らに近い形をしているが、第１プレート１１ａの嵌合溝１４と同様の溝形形状をしていても良い。このように、嵌合溝１４と覆部１５とを同じ溝形に形成する場合、それらの深さは、列線の半径以下であることが望ましい。また、上記嵌合溝１４両プレート１１ａ，１１ｂとは、互いに同じ形に形成することができる。
【００２０】
あるいは、金具本体を図６に示す金具本体１１Ａのように形成することもできる。この金具本体１１Ａの場合は、第１及び第２の２つのプレート１１ａ，１１ｂが同一形状を有していて、その形状は、上下何れか一方の半部側の左右両端部に、網目３６の両側の列線３５Ａ，３５Ｂが嵌合する嵌合溝１４，１４を有すると共に、他方の半部側の左右両端部に、上記嵌合溝１４，１４の溝底より外側の溝壁部分を切除したような形の覆部１５，１５を有するもので、これらのプレート１１ａ，１１ｂを互いに上下逆向きにした状態で使用するように構成されている。
【００２１】
更には、図７に示すように、１枚のプレートだけで金具本体１１Ｂを形成することもできる。この金具本体１１Ｂは、上下何れか一方の半部側の左右両端部に、金具本体１１Ｂの表面側に向けて開口する第１嵌合溝１４ａ，１４ａを形成すると共に、他方の半部側の左右両端部に、上記嵌合溝１４ａ，１４ａとは逆向きに開口する第２嵌合溝１４ｂ，１４ｂを形成したもので、これらの両嵌合溝１４ａ，１４ｂによって列線３５Ａ，３５Ｂに固定するものである。従ってこの例では、互いに逆向きに開口する上下の嵌合溝１４ａと１４ｂとによって固定部１３が形成される。
【００２２】
なお、上記実施例では、上記棒材５０ａが、蛇篭３０の内側に各面網に沿うように取り付けられているが、各棒材５０ａと金具本体１１との間に必要な厚さのスペーサを介在させることにより、各面網との間の設置間隔を任意に設定することができる。あるいは、蛇篭３０の外側即ち面網の外側に必要な設置間隔を保って取り付けることもできる。また、上記棒材５０ａの断面は必ずしも円形である必要はなく、角形断面であっても、その他の不定形の断面形状であっても良い。
【００２３】
更には、上述したように各棒材５０ａをそれぞれ取付金具１０で個々に金網に取り付ける代わりに、図８に示すように、土留部材５０の上下あるいは左右の両端に位置する棒材５０ａか、又はこれに中間の幾つかの棒材５０ａを含めた一部の棒材５０ａだけを取付金具１０で金網に取り付け、それらの取付金具１０の取付ボルト１２，１２間にプレート状あるいは棒状の押さえ金具２１を掛け渡し、この押さえ金具２１で中間に位置するその他の棒材５０ａを固定することもできる。
【００２４】
なお、上記土留部材５０としては、上述したような棒材５０ａからなるものに限らず、蛇篭３０の各面網より網目の細かい金網や合成樹脂製ネットなどからなる土留部材であっても良く、この土留部材を、上述した各種取付金具１０を用いて蛇篭３０の所定の面網に取り付けることもできる。
【００２５】
図９は本発明の他の実施形態を示すもので、この実施形態は、上述した取付金具１０を使用して、前後又は左右あるいはその両方向に隣接する蛇篭３０，３０同士を相互に連結することにより、蛇篭連結体としたものである。この場合には、例えば図１０に隣接する蛇篭３０，３０の連結部分を拡大して示すように、２つの蛇篭３０，３０の相対する側面網にそれぞれ取付金具１０を、該取付金具１０の固定部１３を網目３６の両側に位置する２本の列線３５Ａ，３５Ｂに固定することにより取り付け、両取付金具１０，１０同士を１本の取付ボルト１２とナット２５で相互に連結するようにする。この場合、上記取付ボルト１２の長さを選択することにより、蛇篭３０，３０間の連結スペースは任意に設定することができる。また、上記取付金具１０，１０で連結する場所や数等の制限はなく、そのときの状況で決めれば良い。例えば、面網の中央の１カ所であっても、両端の２カ所であっても、四隅の４カ所であっても、四隅と中央の５カ所であっても良い。更に、この連結方法は、蛇篭を上下に段積する場合に上下の蛇篭の連結にも用いることができる。
【００２６】
なお、上記各実施例では、蛇篭の各面網が菱形金網で形成されているが、これらの面網の全部又は一部が溶接金網製であっても良い。この溶接金網は、針金製の線材を経緯に配列し、それらの列線の交点を電気抵抗溶接して一体化したもので、矩形の網目を有しており、この網目に上記各取付金具を菱形金網の場合と同様にして取り付けることができる。
【図面の簡単な説明】
【００２７】
【図１】蛇篭用取付金具で蛇篭に棒材からなる土留部材を取り付けた状態を示す斜視図である。
【図２】図１の蛇篭だけの斜視図である。
【図３】図１の要部拡大図である。
【図４】図３のＡ−Ａ拡大断面図である。
【図５】取付金具の一例の分解斜視図である。
【図６】取付金具の他の例の分解斜視図である。
【図７】取付金具の更に他の例の分解斜視図である。
【図８】土留部材の取り付け方の他の例を示す要部断面図である。
【図９】蛇篭用取付金具で蛇篭同士を連結して形成した蛇篭連結体の正面図である。
【図１０】図９の要部拡大図である。
【符号の説明】
【００２８】
１０      取付金具
１１，１１Ａ，１１Ｂ      金具本体
１２      取付ボルト
１３      固定部
１４，１４ａ，１４ｂ      嵌合溝
１５      覆部
３０      蛇篭
３５，３５Ａ，３５Ｂ      列線
３６      網目
５０      土留部材
５０ａ      棒材
【図１】
2005054443.tif 000003
【図２】
2005054443.tif 000004
【図３】
2005054443.tif 000005
【図４】
2005054443.tif 000006
【図５】
2005054443.tif 000007
【図６】
2005054443.tif 000008
【図７】
2005054443.tif 000009
【図８】
2005054443.tif 000010
【図９】
2005054443.tif 000011
【図１０】
2005054443.tif 000012